(57)【要約】【課題】  複数の機能を備えるデジタル複合機等の画像処理装置において、利便性、及び省エネルギー化を向上させることが可能な画像処理装置を提供する。【解決手段】  複数の画像処理部と、処理の内容を示す操作情報が順次入力される操作情報入力部と、操作情報により指定される処理内容に対応させて、複数の画像処理部のうちの何れかの画像処理部を使用するかを示す使用画像処理部情報を記憶する記憶部と、記憶部に記憶された使用画像処理部情報に基づき複数の画像処理部の省電力状態又は通常状態への移行を制御する制御部とを備えることを特徴とする画像処理装置。【選択図】  図１
2010273068.tif 000002
【特許請求の範囲】
【請求項１】
複数の画像処理部と、
処理の内容を示す操作情報が順次入力される操作情報入力部と、
前記操作情報により指定される処理内容に対応させて、前記複数の画像処理部のうちの何れかの画像処理部を使用するかを示す使用画像処理部情報を記憶する記憶部と、
前記記憶部に記憶された前記使用画像処理部情報に基づき前記複数の画像処理部の省電力状態、又は通常状態への移行を制御する制御部とを備える
ことを特徴とする画像処理装置。
【請求項２】
前記制御部は、前記操作情報が入力される度に、前記記憶部に記憶された前記使用画像処理部情報に基づき前記複数の画像処理部の省電力状態、又は通常状態への移行を制御する
ことを特徴とする請求項１記載の画像処理装置。
【請求項３】
複数の画像処理部と、
処理の内容を示す操作情報が順次入力される操作情報入力部と、
前記操作情報により指定される処理内容に対応させて、前記複数の画像処理部のうちの何れかの画像処理部を使用するかを示す使用画像処理部情報を記憶する記憶部と、
前記記憶部に記憶された前記使用画像処理部情報に基づき、通常状態にある特定の画像処理部を省電力状態に移行させる制御部とを備える
ことを特徴とする画像処理装置。
【発明の詳細な説明】
【技術分野】
【０００１】
本発明は、複写機、プリンタ、又はファクシミリ等の複数の機能を備えた画像処理装置に関するものである。
【背景技術】
【０００２】
現在、複写機、プリンタ、又はファクシミリ等の複数の画像処理部を統合した、いわゆるデジタル複合機と呼ばれる画像処理装置がオフィス等で多用されている。そして、この様なデジタル複合機においては、電子写真方式のプリンタ部を備えるものが知られている。電子写真方式のプリンタ部は、用紙等の記録媒体上に転写されたトナー像を加熱、加圧することにより、当該トナー像を記録媒体上に定着させる定着器を備える。この様な定着器は、ヒータ等の加熱手段を備えており、加熱手段により付与される温度は、温度センサが検出した環境温度に基づき、温度制御部回路が加熱手段のオン・オフを制御することで、トナー像の定着に最適な定着温度に保たれる。
【０００３】
そして、上記温度制御回路による加熱手段のオン・オフ制御、つまり、加熱手段による定着器のウォームアップ動作は、デジタル複合機の電源投入後、又はデジタル複合機が印刷待機状態等の省電力状態から印刷実行時等の通常状態に移行する際に実行される。この際、デジタル複合機は、加熱手段により付与される温度が定着可能温度に到達するまで印刷処理を実行することができない。また、上記定着器以外の各機構部においても、省電力状態から通常状態に移行し、各機構部が作動可能となるためには、各機構部における予備動作が必要となる。この様に、従来のデジタル複合機においては、全ての機能を作動させるためのウォームアップ動作や、予備動作を同時に実行する必要があり、装置の利便性、又は省エネルギー化の観点から、これらのウォームアップ動作や、予備動作にかかる時間の短縮が望まれてきた。そして、この様な問題を解決するために、例えば、特許文献１には、ユーザにより選択された機能、又は入力されたジョブの実行にかかる機能に関与する機構部のみのウォームアップ動作を実行することで、省エネルギー化を図る画像形成装置が開示されている。
【先行技術文献】
【特許文献】
【０００４】
【特許文献１】特開２００５−２９７２６４号公報
【発明の概要】
【発明が解決しようとする課題】
【０００５】
しかしながら、上記特許文献１記載の画像形成装置では、ウォームアップ動作を実行させる機構部を制限することで省エネルギー化は実現されているものの、選択された機構部が作動可能となるのは、必要とされる複数個の機能からなる機能ブロックのウォームアップ動作に要する時間を経過した後となる為、予備動作に有する時間が長くなってしまうという問題があった。
【０００６】
本発明はこのような実情に鑑みてなされたものであり、本発明の課題は、複数の機能を備えるデジタル複合機等の画像処理装置において、利便性、及び省エネルギー化を向上させることが可能な画像処理装置を提供することである。
【課題を解決するための手段】
【０００７】
上記課題を解決するために、本発明にかかる画像処理装置は、複数の画像処理部と、処理の内容を示す操作情報が順次入力される操作情報入力部と、操作情報により指定される処理内容に対応させて、複数の画像処理部のうちの何れかの画像処理部を使用するかを示す使用画像処理部情報を記憶する記憶部と、記憶部に記憶された使用画像処理部情報に基づき複数の画像処理部の省電力状態又は通常状態への移行を制御する制御部とを備えることを特徴とする。
【０００８】
また、本発明にかかる画像処理装置は、複数の画像処理部と、処理の内容を示す操作情報が順次入力される操作情報入力部と、操作情報により指定される処理内容に対応させて、複数の画像処理部のうちの何れかの画像処理部を使用するかを示す使用画像処理部情報を記憶する記憶部と、記憶部に記憶された使用画像処理部情報に基づき、通常状態にある特定の画像処理部を省電力状態に移行させる制御部とを備えることを特徴とする。
【発明の効果】
【０００９】
本発明によれば、複数の機能を備えるデジタル複合機等の画像処理装置において、利便性、及び省エネルギー化を向上させることが可能な画像処理装置を提供することができる。
【図面の簡単な説明】
【００１０】
【図１】ＭＦＰの構成を説明する機能ブロック図である。
【図２】プログラムテーブルを説明する概略図である。
【図３】操作パネルの構成を説明する概略図である。
【図４】メニューカテゴリを説明する概略図である。
【図５−Ａ】制御部による処理を説明するフローチャートである。
【図５−Ｂ】制御部による処理を説明するフローチャートである。
【図６】ユニット別ウォームアップ処理を説明するフローチャートである。
【図７】読取制御部による処理を説明するフローチャートである。
【図８】印刷制御部による処理を説明するフローチャートである。
【図９】画像作成部による処理を説明するフローチャートである。
【図１０】ファイル作成部による処理を説明するフローチャートである。
【図１１】プログラムテーブルを説明する概略図である。
【図１２】制御部による処理を説明するフローチャートである。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
図１は、本発明の第１の実施形態にかかる画像処理装置としてのＭＦＰ（Multi Function Peripheral）１の機能構成を説明するための機能ブロック図である。図１に示すように、ＭＦＰ１は、電源ＶＤＤから供給される電力により駆動する、画像処理部としての読取ユニット３と、印刷ユニット５と、を備える。
【００１３】
画像処理部としての読取ユニット３は、例えば、フラットベットや、ＡＤＦ（Auto Document Feeder）等にセットされた用紙をスキャンし、用紙上に印刷された画像を読取る。このとき、読取ユニット３は、図示せぬ光源を発光させて光を用紙に対して照射する。そして、読取ユニット３は、用紙からの反射光を、例えばＣＣＤ（Charge Coupled Device）イメージセンサ等の撮像素子で検出し、用紙上に印刷された画像を読取る。なお、読取ユニット３が備える光源は、電源ＶＤＤから供給された電力によって駆動するが、ＭＦＰ１が省電力状態に移行するときには、光源への給電は停止される。そして、ＭＦＰ１が省電力状態から画像の読取処理等が実行可能な通常状態へ移行する場合は、光源への給電は再開されるが、撮像素子が用紙からの反射光を検出する為に要する十分な光量を得るためには、光源のウォームアップ動作に一定の時間を必要とする。この様な読取ユニット３は、読取制御部７による制御の下で駆動し、読取ユニット３により読取られた画像は読取制御部７に出力される。
【００１４】
画像処理部としての印刷ユニット５は、入力された画像情報に基づくトナー像を形成する現像装置、トナー像を用紙上に転写させる転写装置、及び転写されたトナー像を用紙上に定着させる定着装置等を備える。上記読取ユニット３と同様に、ＭＦＰ１が省電力状態に移行するときには、現像装置、転写装置、及び定着装置等への給電は停止される。そして、ＭＦＰ１が省電力状態から印刷処理等が実行可能な通常状態へ移行する場合は、現像装置、転写装置、及び定着装置等への給電は再開される。なお、印刷ユニット５は、例えば、入力された画像情報に基づき図示せぬ露光装置が照射した光により形成された静電潜像を担持する感光体ドラム等の比較的消費電力が多い駆動装置を数多く備え、特に、定着装置が備える加熱手段は、トナー像の定着に最適な定着温度に到達するまでのウォームアップ動作に一定の時間を必要とする。この様な印刷ユニット５は、印刷制御部９による制御の下で駆動する。
【００１５】
読取制御部７は、読取ユニット３を統括的に制御すると共に、読取ユニット３から入力された画像に基づいて中間画像データを生成する。そして、例えば、ＭＦＰ１がコピーや、ＦＡＸ送信を実行する場合は、読取制御部７は、生成した中間画像データを印刷画像作成部１１に出力する。一方、ＭＦＰ１がＥｍａｉｌ等のネットワーク２３を介した送信手段で外部の情報処理装置への画像の送信を実行する場合は、読取制御部７は、生成した中間画像データをファイル作成部１３に出力する。
【００１６】
印刷画像作成部１１は、読取制御部７から入力された中間画像データに基づき、印刷制御部９が認可能なビットマップ形式の画像データを生成する。そして、ＭＦＰ１がコピーを実行する場合、印刷画像作成部１１は、生成したビットマップ形式の画像データを印刷制御部９に出力する。また、ＭＦＰ１がＦＡＸ送信を実行する場合、印刷画像作成部１１は、生成したビットマップ形式の画像データを通信部１５を構成するＦＡＸ通信部１７に出力する。印刷画像作成部１１により生成されたビットマップ形式の画像データが入力されたＦＡＸ通信部１７は、当該画像データを電話回線１９を介して受け取り側に送出する。
【００１７】
印刷制御部９は、印刷画像作成部１１から入力されたビットマップ形式の画像データに基づき、感光体ドラム等の印刷ユニット５を構成する各駆動部を制御することで、当該画像データに対応するトナー像を用紙上に印刷する。
【００１８】
ファイル作成部１３は、読取制御部７から入力された中間画像データに基づき、例えば、ＰＤＦ（Portable Document Format）形式、ＴＩＦＦ（Tagged Image File Format）形式、又はＪＰＥＧ（joint Photographic Experts Group）形式等の各アプリケーション形式の画像データファイルを作成する。そして、ファイル作成部１３は、作成した各アプリケーション形式の画像データファイルを通信部１５を構成するネットワーク通信部２１に出力する。ファイル作成部部１３により作成された各アプリケーション形式の画像データファイルが入力されたネットワーク通信部２１は、当該画像データファイルをネットワーク２３を介して受け取り側に送出する。
【００１９】
また、ＭＦＰ１は、印刷画像作成部１１、又はファイル作成部１３の作業領域としてのＲＡＭ（Random Access Memory）等の揮発性記憶媒体により構成されるメモリ部２５と、例えば、Ｆｌａｓｈ、又はＨＤＤ（Hard Disk Drive）等の不揮発性記憶媒体により構成される記憶部２７と、を備える。具体的には、記憶部２７は、図４で説明する各メニュー、及び各メニューの下位層メニューに対応付けられた機能が読取ユニット３、及び／又は印刷ユニット５を使用するものであるか否かを示す、使用駆動部情報としてのプログラムテーブルを記憶する。プログラムテーブル１００は、図２に示す様に、メニュー番号情報１０１、読取ユニット情報１０２、及び印刷ユニット情報１０３から構成されている。メニュー番号情報１０１の各メニュー番号は、図４に示すメニューカテゴリ番号と一致している。そして、読取ユニット情報１０２、及び印刷ユニット情報１０３に示されている数字の“１”は、メニュー番号情報１０１に示されるメニューが読取ユニット３、及び／又は印刷ユニット５を使用する機能を有することを表している。同様に、読取ユニット情報１０２、及び印刷ユニット情報１０３に示されている数字の“０”は、メニュー番号情報１０１に示されるメニューが読取ユニット３、及び／又は印刷ユニット５を使用する機能を有さないことを表している。ＭＦＰ１は、記憶部２７に記憶されたプログラムテーブル１００を参照することにより、ユーザにより指定されたメニューにおいて、使用する必要のないユニットの給電を停止することにより省エネルギー化を図ることができる。
【００２０】
また、ＭＦＰ１は、ユーザによる各種情報の入力を受付けると共に、ユーザに対して各種情報を表示する操作情報入力部としての操作パネル２９を備える。図３に示す様に、操作パネル２９は、ユーザに対して各種情報を表示する、例えば、ＬＣＤ（Liquid Crystal Display）等から構成される表示装置３１と、文字等の情報の入力を受付ける文字入力キー３３と、各メニューカテゴリの移動、及びメニューの選択の決定を受付ける移動／選択キー３５と、カラー印刷の実行指令を受付けるＣｏｌｏｒキー、及びモノクロ印刷の実行指令を受付けるＭｏｎｏキーからなるスタートキー３７と、設定の入力や、ＭＦＰ１が実行中の動作の中断を受付けるストップキー３９と、を備える。なお、表示装置３１に表示される情報は、操作制御部４１により制御される。また、文字入力キー３３等の各キーの押下により受付けた情報は、操作制御部４１を介して制御部４３に出力される。
【００２１】
制御部４３は、ＭＦＰ１を構成する各部を統括的に制御する。具体的には、制御部４３は、操作パネル２９を介して受付けた指令に基づき、読取制御部７、又は印刷制御部９等に対して読取処理、又は印刷処理の開始の指示を出力する。また、制御部４３は、所定の時間内に操作パネル２９の操作、又は外部装置からの印刷データの入力が無い場合は、読取ユニット３、又は印刷ユニット５を構成する各駆動部のうち、光源や、定着器の加熱手段といった、比較的消費電力が多い駆動部への給電を停止させることで、読取ユニット３、及び印刷ユニット５を省電力状態に移行させる処理を実行する。また、制御部４３は、読取ユニット３、及び印刷ユニット５が省電力状態にあるときに、ユーザが操作パネル２９の何れかのキーを押下するか等の操作情報が入力されると、メインメニュー５１を操作パネル２９の表示装置３１に表示させると共に、メインメニュー５１におけるメニューカテゴリの移動を検出するまで待機する。そして、制御部４３は、操作パネル２９を介してメニューカテゴリの移動を検出すると、記憶部２７に記憶されたプログラムテーブル１００の読取ユニット情報１０２、及び印刷ユニット情報１０３を参照し、使用される読取ユニット３、及び／又は印刷ユニット５が通常の処理を実行することが可能な通常状態、又は各駆動部への給電が停止された省電力状態へ移行させる処理を実行する。なお、この制御部４３による記憶部２７に記憶されたプログラムテーブル１００の読取ユニット情報１０２、及び印刷ユニット情報１０３に基づく読取ユニット３、及び印刷ユニット５の省電力状態から通常状態への移行、又は通常状態から省電力状態への移行の制御は、制御部４３が操作パネル２９を介したメニューカテゴリの移動を検出する度に実行される。
【００２２】
ここでメニューカテゴリの移動について説明する。ユーザがＭＦＰ１に対して実行させる、コピー、Ｅｍａｉｌ送信、ＦＡＸ送信、又は装置設定といった機能は、図４に示すように、その機能毎に分類されてメニューカテゴリとして表示装置３１に表示される。そして、ユーザは、表示装置３１に表示されたメニューカテゴリから、操作パネル２９上の移動／選択キー３５を用いて、所望の機能を選択する。これを本実施形態では、メニューカテゴリの移動と定義する。なお、ユーザにより選択された機能において、さらに補足機能が存在する場合は、当該補足機能は、下位層メニューとして表示され、ユーザは、移動／選択キー３５を用いてメニューカテゴリを移動し、所望の補足機能をさらに選択することができる。
【００２３】
具体的には、例えば、図４において、メインメニュー画面５１が表示装置３１に表示されている状態において、ユーザにより、「Ｃｏｐｙ」が選択されたものとする。制御部４３は、「Ｃｏｐｙ」がユーザにより選択された旨、つまり、メニューカテゴリの移動を検出すると、コピーメニュー画面５３を表示装置３１に表示するよう、操作制御部４１に指示を与える。そして、制御部４３は、ユニット別ウォームアップ処理を実行する。具体的には、制御部４３は、記憶部２７に記憶されたプログラムテーブル１００を参照する。ここで、コピーメニュー画面５３のメニュー番号情報１０１に対応する読取ユニット情報１０２、及び印刷ユニット情報１０３に示される数字は、共に“１”である。したがって、制御部４３は、読取ユニット３、及び印刷ユニット５の双方を使用するものとして、読取ユニット３、及び印刷ユニット５を通常状態に移行させるウォームアップ処理を開始させる。そして、制御部４３は、読取ユニット３、及び印刷ユニット５のウォームアップ処理が終了した後に、下位層メニューとしてのコピーメニュー画面５３において選択された機能に基づき、一連のコピー処理を実行させる。
【００２４】
また、メインメニュー画面５１が表示装置３１に表示されている状態において、ユーザにより、「Ｓｃａｎ」が選択されたものとする。制御部４３は、「Ｓｃａｎ」がユーザにより選択された旨、つまり、メニューカテゴリの移動を検出すると、スキャンメニュー画面５５を表示装置３１に表示するよう、操作制御部４１に指示を与える。そして、制御部４３は、記憶部２７に記憶されたプログラムテーブル１００を参照する。ここで、スキャンメニュー画面５５のメニュー番号情報１０１に対応する読取ユニット情報１０２に示される数字は“１”、印刷ユニット情報１０３に示される数字は “０”である。したがって、制御部４３は、読取ユニット３のみを使用するものとして、読取ユニット３を通常状態に移行させるウォームアップ処理を開始させる。そして、制御部４３は、読取ユニット３のウォームアップ処理が終了した後に、下位層メニューとしてのスキャンメニュー画面５５、さらには、Ｅｍａｉｌメニュー画面５６において選択された機能に基づき、一連のスキャン処理を実行させる。
【００２５】
また、メインメニュー画面５１が表示装置３１に表示されている状態において、ユーザにより、「Ｆａｘ」が選択されたものとする。制御部４３は、「Ｆａｘ」がユーザにより選択された旨、つまり、メニューカテゴリの移動を検出すると、ファックスメニュー画面５７を表示装置３１に表示するよう、操作制御部４１に指示を与える。そして、制御部４３は、記憶部２７に記憶されたプログラムテーブル１００を参照する。ここで、ファックスメニュー画面５７のメニュー番号情報１０１に対応する読取ユニット情報１０２に示される数字は“１”、印刷ユニット情報１０３に示される数字は “０”である。したがって、制御部４３は、読取ユニット３のみを使用するものとして、読取ユニット３を通常状態に移行させるウォームアップ処理を開始させる。そして、制御部４３は、読取ユニット３のウォームアップ処理が終了した後に、下位層メニューとしてのファックスメニュー画面５７において選択された機能に基づき、一連のＦＡＸ送信処理を実行させる。
【００２６】
また、メインメニュー画面５１が表示装置３１に表示されている状態において、ユーザにより、「Ｍｅｎｕ」が選択されたものとする。制御部４３は、「Ｍｅｎｕ」がユーザにより選択された旨、つまり、メニューカテゴリの移動を検出すると、メニュー画面５９を表示装置３１に表示するよう、操作制御部４１に指示を与える。そして、制御部４３は、記憶部２７に記憶されたプログラムテーブル１００を参照する。ここで、メニュー画面５９のメニュー番号情報１０１に対応する読取ユニット情報１０２に示される数字は“０”、印刷ユニット情報１０３に示される数字は “１”である。したがって、制御部４３は、印刷ユニット５のみを使用するものとして、印刷ユニット５を通常状態に移行させるウォームアップ処理を開始させる。
【００２７】
そして、メニュー画面５９が表示装置３１に表示されている状態において、ユーザにより、例えば、「装置情報参照」が選択されたものとする。制御部４３は、「装置情報参照」がユーザにより選択された旨、つまり、メニューカテゴリの移動を検出すると、装置情報参照メニュー６０を表示装置３１に表示するよう、操作制御部４１に指示を与える。そして、制御部４３は、記憶部２７に記憶されたプログラムテーブル１００を参照する。ここで、装置情報参照メニュー６０のメニュー番号情報１０１に対応する読取ユニット情報１０２、及び印刷ユニット情報１０３に示される数字は、共に“０”である。したがって、制御部４３は、読取ユニット３、及び印刷ユニット５の双方共に使用しないものとして、すでに開始されている印刷ユニット５のウォームアップ処理を停止させる。これにより、ＭＦＰ１は、読取ユニット３や、印刷ユニット５の使用以外の目的でユーザが操作を開始した場合における消費電力を抑制することができる。
【００２８】
なお、メニュー画面５９が表示装置３１に表示されている状態において、ユーザにより、例えば、「装置情報印刷」が選択されたものとする。制御部４３は、「装置情報印刷」がユーザにより選択された旨、つまり、メニューカテゴリの移動を検出すると、装置情報印刷メニュー６１を表示装置３１に表示するよう、操作制御部４１に指示を与える。そして、制御部４３は、記憶部２７に記憶されたプログラムテーブル１００を参照する。ここで、装置情報印刷メニュー６１のメニュー番号情報１０１に対応する読取ユニット情報１０２に示される数字は“０”、印刷ユニット情報１０３に示される数字は “１”である。したがって、制御部４３は、印刷ユニット５のみを使用するものとして、すでに開始されている印刷ユニット５のウォームアップ処理を継続させる。
【００２９】
以下、ＭＦＰ１の動作について、以下に示すフローチャートを用いて詳細に説明する。
【００３０】
先ず、最終使用時から所定の時間経過してＭＦＰ１全体が省電力状態にある場合の制御部４３の動作について、図５−Ａ、図５−Ｂ、及び図６を用いて説明する。
【００３１】
始めに、ＭＦＰ１全体が省電力状態に移行すると、制御部４３は、操作情報が入力されたか否かを判断する。具体的には、制御部４３は、操作制御部４１から、ユーザにより操作パネル２９を介して何れかのキーが押された旨の通知等の入力の有無で判断する。そして、制御部４３は、操作情報が入力されるまで、かかる処理を繰り返し実行する（ステップＳ１）。
【００３２】
操作情報が入力されると（ステップＳ１  Ｙｅｓ）、ステップＳ２において、制御部４３は、メインメニュー画面５１を表示装置３１に表示させるよう操作制御部４１に指示を与える。指示を受けた操作制御部４１は、メインメニュー画面５１を表示装置３１に表示させる。
【００３３】
ステップＳ３において、制御部４３は、記憶部２７に記憶されたプログラムテーブル１００を参照し、ユニット別ウォームアップ処理を実行する。
【００３４】
ここで、ユニット別ウォームアップ処理について、図６のフローチャートを用いて説明する。図６のステップＳ４１のおいて、制御部４３は、プログラムテーブル１００のメインメニュー画面５１のメニュー番号情報１０１に対応する読取ユニット情報１０２を参照する。ここで、読取ユニット情報１０２に示される数字が“１”である場合（ステップＳ４１  “１”）、制御部４３は、読取ユニット３のウォームアップ処理を開始させる（ステップＳ４２）。一方、読取ユニット情報１０２に示される数字が“０”である場合（ステップＳ４１  “０”）、制御部４３は、読取ユニット３のウォームアップ処理を停止させる（ステップＳ４３）。
【００３５】
そして、ステップＳ４４において、制御部４３は、プログラムテーブル１００のメインメニュー画面５１のメニュー番号情報１０１に対応する印刷ユニット情報１０３を参照する。ここで、印刷ユニット情報１０３に示される数字が“１”である場合（ステップＳ４４  “１”）、制御部４３は、印刷ユニット５のウォームアップ処理を開始させる（ステップＳ４５）。一方、印刷ユニット情報１０３に示される数字が“０”である場合（ステップＳ４４  “０”）、制御部４３は、印刷ユニット５のウォームアップ処理を停止させる（ステップＳ４６）。
【００３６】
なお、メインメニュー画面５１のメニュー番号情報１０１に対応する読取ユニット情報１０２、及び印刷ユニット情報１０３に示される数字は、共に“０”である。したがって、制御部４３は、読取ユニット３、及び印刷ユニット５の双方共に使用しないと判断し、ここでの読取ユニット３、及び印刷ユニット５を通常状態に移行させるウォームアップ処理は実行しない。
【００３７】
そして、制御部４３は、ステップＳ４以降の処理において、メニューカテゴリの移動に基づく処理を実行する。
【００３８】
具体的には、ステップＳ４において、制御部４３は、ユーザにより「Ｃｏｐｙ」が選択されたか否かを判断する。ここで、ユーザにより「Ｃｏｐｙ」が選択された場合（ステップＳ４  Ｙｅｓ）、制御部４３は、コピーメニュー画面５３を表示装置３１に表示するよう、操作制御部４１に指示を与える（ステップＳ５）。そして、制御部４３は、記憶部２７に記憶されたプログラムテーブル１００を参照すると共に、図６で説明したユニット別ウォームアップ処理を実行する（ステップＳ６）。なお、コピーメニュー画面５３のメニュー番号情報１０１に対応する読取ユニット情報１０２、及び印刷ユニット情報１０３に示される数字は、共に“１”である。したがって、制御部４３は、読取ユニット３、及び印刷ユニット５の双方共に使用すると判断し、読取ユニット３、及び印刷ユニット５を通常状態に移行させるウォームアップ処理を開始させる。
【００３９】
その後、ステップＳ７において、制御部４３は、コピーメニュー画面５３において選択された機能に基づき、一連のコピー処理を実行させる。
【００４０】
また、ユーザにより「Ｃｏｐｙ」が選択されていないと判断した場合（ステップＳ４  Ｎｏ）、ステップＳ８において、制御部４３は、ユーザにより「Ｓｃａｎ」が選択されたか否かを判断する。ここで、ユーザにより「Ｓｃａｎ」が選択された場合（ステップＳ８  Ｙｅｓ）、制御部４３は、スキャンメニュー画面５５を表示装置３１に表示するよう、操作制御部４１に指示を与える（ステップＳ９）。そして、制御部４３は、記憶部２７に記憶されたプログラムテーブル１００を参照すると共に、図６で説明したユニット別ウォームアップ処理を実行する（ステップＳ１０）。なお、スキャンメニュー画面５５のメニュー番号情報１０１に対応する読取ユニット情報１０２に示される数字は“１”、印刷ユニット情報１０３に示される数字は “０”である。したがって、制御部４３は、読取ユニット３のみを使用するものとして、読取ユニット３を通常状態に移行させるウォームアップ処理を開始させる。
【００４１】
その後、ステップＳ１１において、制御部４３は、スキャンメニュー画面５５、さらには、Ｅｍａｉｌメニュー画面５６において選択された機能に基づき、一連のスキャン処理を実行させる。
【００４２】
また、ユーザにより「Ｓｃａｎ」が選択されていないと判断した場合（ステップＳ８  Ｎｏ）、ステップＳ１２において、制御部４３は、ユーザにより「Ｆａｘ」が選択されたか否かを判断する。ここで、ユーザにより「Ｆａｘ」が選択された場合（ステップＳ１２  Ｙｅｓ）、制御部４３は、ファックスメニュー画面５７を表示装置３１に表示するよう、操作制御部４１に指示を与える（ステップＳ１３）。そして、制御部４３は、記憶部２７に記憶されたプログラムテーブル１００を参照すると共に、図６で説明したユニット別ウォームアップ処理を実行する（ステップＳ１４）。なお、ファックスメニュー画面５７のメニュー番号情報１０１に対応する読取ユニット情報１０２に示される数字は“１”、印刷ユニット情報１０３に示される数字は “０”である。したがって、制御部４３は、読取ユニット３のみを使用するものとして、読取ユニット３を通常状態に移行させるウォームアップ処理を開始させる。
【００４３】
その後、ステップＳ１５において、制御部４３は、ファックスメニュー画面５７において選択された機能に基づき、一連のＦＡＸ送信処理を実行させる。
【００４４】
また、ユーザにより「Ｆａｘ」が選択されていないと判断した場合（ステップＳ１２  Ｎｏ）、ステップＳ１６において、制御部４３は、ユーザにより「Ｍｅｎｕ」が選択されたか否かを判断する。ここで、ユーザにより「Ｍｅｎｕ」が選択された場合（ステップＳ１６  Ｙｅｓ）、制御部４３は、メニュー画面５９を表示装置３１に表示するよう、操作制御部４１に指示を与える（ステップＳ１７）。そして、制御部４３は、記憶部２７に記憶されたプログラムテーブル１００を参照すると共に、図６で説明したユニット別ウォームアップ処理を実行する（ステップＳ１８）。なお、メニュー画面５９のメニュー番号情報１０１に対応する読取ユニット情報１０２に示される数字は“０”、印刷ユニット情報１０３に示される数字は “１”である。したがって、制御部４３は、印刷ユニット５のみを使用するものとして、印刷ユニット５を通常状態に移行させるウォームアップ処理を開始させる。
【００４５】
そして、ステップＳ２０において、制御部４３は、ユーザにより「装置情報参照」が選択されたか否かを判断する。ここで、ユーザにより「装置情報参照」が選択された場合（ステップＳ２０  Ｙｅｓ）、制御部４３は、装置情報参照メニュー６０を表示装置３１に表示するよう、操作制御部４１に指示を与える（ステップＳ２１）。そして、制御部４３は、記憶部２７に記憶されたプログラムテーブル１００を参照すると共に、図６で説明したユニット別ウォームアップ処理を実行する（ステップＳ２２）。なお、装置情報参照メニュー６０のメニュー番号情報１０１に対応する読取ユニット情報１０２、及び印刷ユニット情報１０３に示される数字は、共に“０”である。したがって、制御部４３は、読取ユニット３、及び印刷ユニット５の双方共に使用しないと判断し、すでに開始されている印刷ユニット５のウォームアップ処理を停止させる。
【００４６】
また、ユーザにより「装置情報参照」が選択されていないと判断した場合（ステップＳ２０  Ｎｏ）、ステップＳ２３において、制御部４３は、ユーザにより「装置情報印刷」が選択されたか否かを判断する。ここで、ユーザにより「装置情報印刷」が選択された場合（ステップＳ２３  Ｙｅｓ）、制御部４３は、装置情報印刷メニュー６１を表示装置３１に表示するよう、操作制御部４１に指示を与える（ステップＳ２４）。そして、制御部４３は、記憶部２７に記憶されたプログラムテーブル１００を参照すると共に、図６で説明したユニット別ウォームアップ処理を実行する（ステップＳ２５）。なお、装置情報印刷メニュー６１のメニュー番号情報１０１に対応する読取ユニット情報１０２に示される数字は“０”、印刷ユニット情報１０３に示される数字は “１”である。したがって、制御部４３は、印刷ユニット５のみを使用するものとして、すでに開始されている印刷ユニット５のウォームアップ処理を継続させる。
【００４７】
その後、ステップＳ２６において、制御部４３は、装置情報印刷メニュー６１において選択された機能に基づき、一連の装置情報印刷処理を実行させる。
【００４８】
また、ユーザにより「装置情報印刷」が選択されていないと判断した場合（ステップＳ２３  Ｎｏ）、ステップＳ２７において、制御部４３は、ユーザにより「認証印刷」が選択されたか否かを判断する。ここで、ユーザにより「認証印刷」が選択された場合（ステップＳ２７  Ｙｅｓ）、制御部４３は、認証印刷メニュー６３を表示装置３１に表示するよう、操作制御部４１に指示を与える（ステップＳ２８）。そして、制御部４３は、記憶部２７に記憶されたプログラムテーブル１００を参照すると共に、図６で説明したユニット別ウォームアップ処理を実行する（ステップＳ２９）。なお、認証印刷メニュー６３のメニュー番号情報１０１に対応する読取ユニット情報１０２に示される数字は“０”、印刷ユニット情報１０３に示される数字は “１”である。したがって、制御部４３は、印刷ユニット５のみを使用するものとして、すでに開始されている印刷ユニット５のウォームアップ処理を継続させる。
【００４９】
その後、ステップＳ３０において、制御部４３は、認証印刷メニュー６３において選択された機能に基づき、一連の認証印刷処理を実行させる。
【００５０】
また、ユーザにより「認証印刷」が選択されていないと判断した場合（ステップＳ２７  Ｎｏ）、ステップＳ３１において、制御部４３は、ユーザにより「管理者セットアップ」が選択されたか否かを判断する。ここで、ユーザにより「管理者セットアップ」が選択された場合（ステップＳ３１  Ｙｅｓ）、制御部４３は、管理者セットアップメニュー６５を表示装置３１に表示するよう、操作制御部４１に指示を与える（ステップＳ３２）。そして、制御部４３は、記憶部２７に記憶されたプログラムテーブル１００を参照すると共に、図６で説明したユニット別ウォームアップ処理を実行する（ステップＳ３３）。なお管理者セットアップメニュー６５のメニュー番号情報１０１に対応する読取ユニット情報１０２、及び印刷ユニット情報１０３に示される数字は、共に“０”である。したがって、制御部４３は、読取ユニット３、及び印刷ユニット５の双方共に使用しないと判断し、すでに開始されている印刷ユニット５のウォームアップ処理を停止させる。
【００５１】
また、ユーザにより「管理者セットアップ」が選択されていないと判断した場合（ステップＳ３１  Ｎｏ）、制御部４３は、一定の時間が経過したか否かを判断する。そして、一定の時間が経過していないと判断した場合（ステップＳ３４  Ｎｏ）、制御部４３は、再度ステップＳ２０からの処理を実行する。
【００５２】
一方、一定の時間が経過したと判断した場合（ステップＳ３４  Ｙｅｓ）、制御部４３は、ウォームアップ処理の停止、つまり、ステップＳ１８において、ウォームアップ処理が開始された印刷ユニット５のウォームアップ処理を停止させると共に（ステップＳ３５）、メインメニュー画面５１を表示装置３１に表示するよう、操作制御部４１に指示を与え（ステップＳ３６）、一連の処理を終了する。
【００５３】
次に、上述の一連の処理に際しての読取制御部７の一連の処理について、図７を参照しながら詳細な説明を行う。
【００５４】
一連の処理が開始すると、ステップＳ５１において、読取制御部７は、ユニット別ウォームアップ処理に基づくウォームアップ処理の開始の指令が制御部４３から入力されたか否かを判断する。なお、読取制御部７は、制御部４３からウォームアップ処理の開始の指令が入力されるまでかかる処理を繰り返し実行する。
【００５５】
ウォームアップ処理の開始の指令が制御部４３から入力されると（ステップＳ５１  Ｙｅｓ）、読取制御部７は、読取ユニット３のウォームアップ処理を開始する。この処理は、読取制御部７が、電源ＶＤＤに、給電が停止されている光源への給電を再開させることで実行される。
【００５６】
次に、読取制御部７は、ウォームアップ処理の停止の指令が制御部４３から入力されたか否かを判断する。ウォームアップ処理の停止の指令が入力されたと判断した場合（ステップＳ５３  Ｙｅｓ）、ステップＳ５４において、読取制御部７は、読取ユニット３のウォームアップ処理を停止させ、一連の処理を終了する。
【００５７】
一方、ウォームアップ処理の停止の指令が入力されていないと判断した場合（ステップＳ５３  Ｎｏ）、ステップＳ５５において、読取制御部７は、読取開始の指令が入力されたか否かを判断する。具体的には、制御部４３が、ユーザが操作パネル２９にファックス又はスキャンの開始指令を入力したと判断した場合にかかる指令が入力される。そして、読取開始の指令が入力されていないと判断した場合（ステップＳ５５  Ｎｏ）、読取制御部７は、ステップＳ５３以降の処理を繰り返し実行する。
【００５８】
そして、読取開始の指令が入力されたと判断した場合（ステップＳ５５  Ｙｅｓ）、ステップＳ５６において、読取制御部７はセットされた画像を読み取る。その後、読取制御部７は、ステップＳ５７において読み取った画像の中間画像データを生成し、ステップＳ５８において制御部４３に読取完了の通知を出力する。その後、読取制御部７は、一連の処理を終了する。
【００５９】
次に、上述の一連の処理に際しての印刷制御部９の一連の処理について、図８を参照しながら詳細な説明を行う。
【００６０】
一連の処理が開始すると、ステップＳ６１において、印刷制御部９は、ユニット別ウォームアップ処理に基づくウォームアップ処理の開始の指令が制御部４３から入力されたか否かを判断する。なお、読取制御部７は、制御部４３からウォームアップ処理の開始の指令が入力されるまでかかる処理を繰り返し実行する。
【００６１】
ウォームアップ処理の開始の指令が制御部４３から入力されると（ステップＳ６１  Ｙｅｓ）、印刷制御部９は、印刷ユニット５のウォームアップ処理を開始する。この処理は、印刷制御部９が、電源ＶＤＤに、給電が停止されている定着器への給電を再開させることで実行される。
【００６２】
次に、印刷制御部９は、ウォームアップ処理の停止の指令が制御部４３から入力されたか否かを判断する。ウォームアップ処理の停止の指令が入力されたと判断した場合（ステップＳ６３  Ｙｅｓ）、ステップＳ６４において、印刷制御部９は、印刷ユニット５のウォームアップ処理を停止させ、一連の処理を終了する。
【００６３】
一方、ウォームアップ処理の停止の指令が入力されていないと判断した場合（ステップＳ６３  Ｎｏ）、ステップＳ６５において、印刷制御部９は、印刷開始の指令が入力されたか否かを判断する。具体的には、制御部４３が、ユーザが操作パネル２９にコピーの開始指令を入力したと判断した場合にかかる指令が入力される。そして、印刷開始の指令が入力されていないと判断した場合（ステップＳ６５  Ｎｏ）、印刷制御部９は、ステップＳ６３以降の処理を繰り返し実行する。
【００６４】
そして、印刷開始の指令が入力されたと判断した場合（ステップＳ６５  Ｙｅｓ）、ステップＳ６６において、印刷制御部９は、指定された画像を印刷し、一連の処理を終了する。
【００６５】
次に、印刷画像作成部１１の一連の動作について、図９を参照しながら詳細な説明を行う。
【００６６】
一連の処理が開始すると、ステップＳ７１において、印刷画像作成部１１は、画像データ作成の指令が入力されたか否かを判断する。具体的には、画像データ作成の指令は、制御部４３が、プリント、コピー、装置情報印刷、若しくは認証印刷があったと判断した場合、又は電話回線１９を通じてファックスを受信したと判断した場合に、制御部４３から印刷画像作成部１１に入力される。そして印刷画像作成部１１は、かかる指令が入力されるまで同一の処理を繰り返し実行する。
【００６７】
次に、ステップＳ７２において、印刷画像作成部１１は、制御部４３により指定されたデータを読み出す。具体的には印刷画像作成部１１は、制御部４３からプリント又は認証印刷の指令が入力された場合には、ネットワーク２３及びネットワーク通信部２１を介してＭＦＰ１に入力され、メモリ部２５に記憶された印刷データを読み出す。また、印刷画像作成部１１は、制御部４３からコピーの指令が入力された場合には、読取制御部７により生成された中間画像データを読み出す。また、印刷画像作成部１１は、制御部４３からファックス受信の指令が入力された場合には、電話回線１９及びＦＡＸ通信部１７を介してＭＦＰ１に入力され、メモリ部２５に記憶されたファックスデータを読み出す。また、印刷画像作成部１１は、制御部４３から装置情報印刷の指令が入力された場合には、記憶部２７に記憶されたエラーログ等を読み出す。
【００６８】
その後、ステップＳ７３において、印刷画像作成部１１は、読み出したデータに基づいてビットマップ形式の画像データを作成する。そして、ステップＳ７４において、印刷画像作成部１１は、作成した画像データを印刷制御部９に出力して一連の処理を終了する。そして印刷制御部９は、供給された画像データに基づく画像を印刷させる。
【００６９】
次に、ファイル作成部１３の一連の動作について、図１０を参照しながら詳細な説明を行う。
【００７０】
一連の処理が開始すると、ステップＳ８１において、ファイル作成部１３は、画像ファイル作成の指令が入力されたか否かを判断する。具体的には、画像ファイル作成の指令は、制御部４３が、スキャンした画像をＥ−ｍａｉｌにより送信する場合に、制御部４３からファイル作成部１３に入力される。そしてファイル作成部１３は、かかる指令が入力されるまで同一の処理を繰り返し実行する。
【００７１】
次に、ステップＳ８２において、ファイル作成部１３は、制御部４３により指定された中間画像データを読取制御部７から読み出す。その後、ステップＳ８３において、ファイル作成部１３は、読み出したデータに基づいてアプリケーション形式の画像ファイルを作成する。そして、ステップＳ８４において、ファイル作成部１３は、作成した画像ファイルをネットワーク通信部２１に出力して一連の処理を終了する。そしてネットワーク通信部２１は、入力された画像ファイルを指定されたあて先に送信する。
【００７２】
この様に、第１の実施形態によれば、ユーザにより選択されたメニューに基づき、読取ユニット、及び／又は印刷ユニットのウォームアップ処理の開始処理、又は停止処理を実行させるため、読取処理、又は印刷処理が実行可能となる通常状態への移行にかかる待機時間を最小限に短縮することが可能であると共に、利便性、及び省エネルギー化を向上させる図ることができる。
【００７３】
［第２の実施形態］
第２の実施形態にかかる画像処理装置としてのＭＦＰ１は、第１の実施形態にかかるＭＦＰ１と同一な構成、及び機能を備える。したがって、第２の実施形態の説明においては、第１の実施形態にかかるＭＦＰ１と同一な構成、機能に関してはその説明を省略し、異なる箇所についてのみ説明する。
【００７４】
図１１は、第２の実施形態にかかるプログラムテーブル２００を説明する概略図である。プログラムテーブル２００は、第１の実施形態にかかるプログラムテーブル１００と同一の構成を有するが、メインメニュー画面５１に対応する読取ユニット情報２０２、及び印刷ユニット情報２０３が示す数字が共に“１”である点が第１の実施形態にかかるプログラムテーブル１００とは異なる。
【００７５】
そして、上記プログラムテーブル２００を用いた第２の実施形態にかかるＭＦＰ１の動作について図１２のフローチャートを用いて説明する。
【００７６】
始めに、ＭＦＰ１全体が省電力状態に移行すると、制御部４３は、操作情報が入力されたか否かを判断する。具体的には、制御部４３は、操作制御部４１から、ユーザにより操作パネル２９を介して何れかのキーが押された旨の通知等の入力の有無で判断する。そして、制御部４３は、操作情報が入力されるまで、かかる処理を繰り返し実行する（ステップＳ’１）。
【００７７】
操作情報が入力されると（ステップＳ１’  Ｙｅｓ）、ステップＳ２’において、制御部４３は、メインメニュー画面５１を表示装置３１に表示させるよう操作制御部４１に指示を与える。指示を受けた操作制御部４１は、メインメニュー画面５１を表示装置３１に表示させる。
【００７８】
ステップＳ３’において、制御部４３は、記憶部２７に記憶されたプログラムテーブル２００を参照し、ユニット別ウォームアップ処理を実行する。
【００７９】
ここで、メインメニュー画面５１のメニュー番号情報２０１に対応する読取ユニット情報２０２、及び印刷ユニット情報２０３に示される数字は、共に“１”である。したがって、制御部４３は、読取ユニット３、及び印刷ユニット５の双方共に使用すると判断し、読取ユニット３、及び印刷ユニット５を通常状態に移行させるウォームアップ処理を開始させる（ステップＳ９１）。
【００８０】
そして、制御部４３は、ステップＳ４以降の処理において、メニューカテゴリの移動に基づく処理を実行する。
【００８１】
具体的には、ステップＳ４’において、制御部４３は、ユーザにより「Ｃｏｐｙ」が選択されたか否かを判断する。ここで、ユーザにより「Ｃｏｐｙ」が選択された場合（ステップＳ４’  Ｙｅｓ）、制御部４３は、コピーメニュー画面５３を表示装置３１に表示するよう、操作制御部４１に指示を与える（ステップＳ５’）。そして、制御部４３は、記憶部２７に記憶されたプログラムテーブル２００を参照すると共に、図６で説明したユニット別ウォームアップ処理を実行する（ステップＳ６’）。なお、コピーメニュー画面５３のメニュー番号情報２０１に対応する読取ユニット情報２０２、及び印刷ユニット情報２０３に示される数字は、共に“１”である。したがって、制御部４３は、読取ユニット３、及び印刷ユニット５の双方共に使用すると判断し、すでに開始されている読取ユニット３、及び印刷ユニット５のウォームアップ処理を継続させる。
【００８２】
その後、ステップＳ７’において、制御部４３は、コピーメニュー画面５３において選択された機能に基づき、一連のコピー処理を実行させる。
【００８３】
また、ユーザにより「Ｃｏｐｙ」が選択されていないと判断した場合（ステップＳ４’  Ｎｏ）、ステップＳ８’において、制御部４３は、ユーザにより「Ｓｃａｎ」が選択されたか否かを判断する。ここで、ユーザにより「Ｓｃａｎ」が選択された場合（ステップＳ８’  Ｙｅｓ）、制御部４３は、スキャンメニュー画面５５を表示装置３１に表示するよう、操作制御部４１に指示を与える（ステップＳ９’）。そして、制御部４３は、記憶部２７に記憶されたプログラムテーブル２００を参照すると共に、図６で説明したユニット別ウォームアップ処理を実行する（ステップＳ１０’）。なお、スキャンメニュー画面５５のメニュー番号情報２０１に対応する読取ユニット情報２０２に示される数字は“１”、印刷ユニット情報２０３に示される数字は “０”である。したがって、制御部４３は、読取ユニット３のみを使用するものとして、すでに開始されている印刷ユニット５のウォームアップ処理を停止させる。
【００８４】
その後、ステップＳ１１’において、制御部４３は、スキャンメニュー画面５５、さらには、Ｅｍａｉｌメニュー画面５６において選択された機能に基づき、一連のスキャン処理を実行させる。
【００８５】
また、ユーザにより「Ｓｃａｎ」が選択されていないと判断した場合（ステップＳ８’  Ｎｏ）、ステップＳ１２’において、制御部４３は、ユーザにより「ＦＡＸ」が選択されたか否かを判断する。ここで、ユーザにより「ＦＡＸ」が選択された場合（ステップＳ１２’  Ｙｅｓ）、制御部４３は、ファックスメニュー画面５７を表示装置３１に表示するよう、操作制御部４１に指示を与える（ステップＳ１３’）。そして、制御部４３は、記憶部２７に記憶されたプログラムテーブル２００を参照すると共に、図６で説明したユニット別ウォームアップ処理を実行する（ステップＳ１４’）。なお、ファックスメニュー画面５７のメニュー番号情報２０１に対応する読取ユニット情報２０２に示される数字は“１”、印刷ユニット情報２０３に示される数字は “０”である。したがって、制御部４３は、読取ユニット３のみを使用するものとして、すでに開始されている印刷ユニット５のウォームアップ処理を停止させる。
【００８６】
その後、ステップＳ１５’において、制御部４３は、ファックスメニュー画面５７において選択された機能に基づき、一連のＦＡＸ送信処理を実行させる。
【００８７】
また、ユーザにより「Ｆａｘ」が選択されていないと判断した場合（ステップＳ１２’  Ｎｏ）、ステップＳ１６’において、制御部４３は、ユーザにより「Ｍｅｎｕ」が選択されたか否かを判断する。ここで、ユーザにより「Ｍｅｎｕ」が選択された場合（ステップＳ１６’  Ｙｅｓ）、制御部４３は、メニュー画面５９を表示装置３１に表示するよう、操作制御部４１に指示を与える（ステップＳ１７’）。そして、制御部４３は、記憶部２７に記憶されたプログラムテーブル２００を参照すると共に、図６で説明したユニット別ウォームアップ処理を実行する（ステップＳ１８’）。なお、メニュー画面５９のメニュー番号情報２０１に対応する読取ユニット情報２０２に示される数字は“０”、印刷ユニット情報１０３に示される数字は “１”である。したがって、制御部４３は、印刷ユニット５のみを使用するものとして、すでに開始されている読取ユニット３のウォームアップ処理を停止させる。
【００８８】
そして、ユーザにより「Ｍｅｎｕ」が選択された場合のステップＳ１８’以降にかかる処理は、第１の実施形態において、図５−Ｂで説明した処理と同様に実行することができるため、ここでの説明は省略する。
【００８９】
この様に、第２の実施形態によれば、処理開始時に予め開始された読取ユニット、及び印刷ユニットのウォームアップ処理に対し、ユーザにより選択されたメニューに基づき、読取ユニット、及び／又は印刷ユニットのウォームアップ処理の停止処理を実行させるため、読取処理、又は印刷処理が実行可能となる通常状態への移行にかかる待機時間を最小限に短縮することが可能であると共に、利便性、及び省エネルギー化を向上させる図ることができる。
【００９０】
本発明にかかる実施形態の説明において、画像処理装置としてＭＦＰを一例に説明したが、本発明は上記記述に限定されるものではなく、ＭＦＰに限らず、複数の画像処理部を有する装置であれば適用可能である。
【符号の説明】
【００９１】
１  ＭＦＰ
３  読取ユニット
５  印刷ユニット
７  読取制御部
９  印刷制御部
１１  印刷画像作成部
１３  ファイル作成部
１５  通信部
１７  ＦＡＸ通信部
１９  電話回線
２１  ネットワーク通信部
２３  ネットワーク
２５  メモリ部
２７  記憶部
２９  操作パネル
４１  操作制御部
４３  制御部
ＶＤＤ  電源
【図１】
2010273068.tif 000003
【図２】
2010273068.tif 000004
【図３】
2010273068.tif 000005
【図４】
2010273068.tif 000006
【図５−Ａ】
2010273068.tif 000007
【図５−Ｂ】
2010273068.tif 000008
【図６】
2010273068.tif 000009
【図７】
2010273068.tif 000010
【図８】
2010273068.tif 000011
【図９】
2010273068.tif 000012
【図１０】
2010273068.tif 000013
【図１１】
2010273068.tif 000014
【図１２】
2010273068.tif 000015